(57)【要約】【課題】  平板状のタブレットを収納し、収納された個々のタブレットを使用する順に容易に取り出すことができる、タブレットの収納ケースを提供すること。【解決手段】  略平板状のタブレット１４を並べた状態で収納する収納通路１２を略平行に複数併設してタブレット収納ケース１０を構成する。各収納通路１２の一端側にはタブレットを挿入可能に開口された挿入口１６を、他端側にはタブレット１４を取り出し可能に開口された取出口１８を設ける。そして、取出口１８の近傍の収納通路１２内部には、収納されたタブレット１４を収納通路１２の内部に維持し、かつ所定の力によるタブレット１４の取り出しを許容する維持ストッパー２６を設けるようにする。【選択図】  図１
2006213370.tif 000002
【特許請求の範囲】
【請求項１】
作業手順の確認用に用いられるタブレットを並べた状態で収納する収納通路が略平行に複数併設され、
各収納通路の一端側に前記タブレットを挿入可能に開口された挿入口が、他端側に前記タブレットを取り出し可能に開口された取出口がそれぞれ設けられ、
前記取出口の近傍の前記収納通路内部には、収納された前記タブレットを前記収納通路の内部に維持し、かつ所定の力による前記タブレットの取り出しを許容する維持ストッパーが設けられたことを特徴とするタブレット収納ケース。
【請求項２】
前記維持ストッパーは、前記収納通路内側面に対して突出動作、戻り動作を行う先端部を有し、通常状態で前記先端部が前記収納通路内側面から突出した状態となるよう付勢されたことを特徴とする請求項１に記載のタブレット収納ケース。
【請求項３】
前記収納通路が内部を目視可能な材料で形成された部位を有することを特徴とする請求項１又は２のいずれかに記載のタブレット収納ケース。
【請求項４】
前記収納通路の前面には、前記取出口から所定長さ切欠かれて形成された切欠部が設けられたことを特徴とする請求項１〜３のいずれかに記載のタブレット収納ケース。
【請求項５】
複数並んだ前記取出口の全体を覆う状態から全体を開放する状態まで順次移動可能であり、該移動する途中位置で停止可能とされた取出口覆い部材が設けられたことを特徴とする請求項１〜４のいずれかに記載のタブレット収納ケース。
【請求項６】
前記取出口覆い部材が、
前記取出口の全体を覆う状態から前記全体を開放する状態までスライド移動可能なスライドベルトで形成され、
該スライドベルトの移動用ガイドが前記取出口近傍に形成されたことを特徴とする請求項５に記載のタブレット収納ケース。
【請求項７】
複数の前記収納通路が互いに並んだ状態で結合されて矩形状の板状体を形成し、この板状体に綴じ込み用留め具が設けられたことを特徴とする請求項１〜６のいずれかに記載のタブレット収納ケース。
【発明の詳細な説明】
【技術分野】
【０００１】
本発明は、作業手順の確認用に用いられるタブレットを収納するタブレット収納ケースに関する。
【背景技術】
【０００２】
複数の作業手順を所定の順番で誤りなく行うことが求められる分野においては、誤り防止のために種々の工夫がなされている。例えば、水道管に関する工事を行う際にバルブを一定の順に従って正確に開閉しなければならないような場合があり、この作業手順を守るために、確認用媒介物を用いることが行われている。また、変電所に設置される種々の機器は、互いに密接に関連して作動している。このため、一つの機器を操作する際、他の関連する機器を操作する必要があり、これらの機器が操作される順序は厳密に決められている場合が多い。例えば、この操作による機器の動作順序を誤ると、機器が作動せず停電のような事態に至る場合もある。このため、このような機器を動作させるための作業手順を正確に守るため、機器の操作表を作成し、この操作表に従って関連する機器を操作することが行われ、操作を行う機器に順次、掛札（以下「タブレット」と称する）を掛けて確認しつつ操作を行うことが考えられる。
【０００３】
このタブレットについては、操作を行う各機器に対応して互いに異なる表示や数字を施し、各機器用のタブレットとする場合がある。そして、操作する機器に対応するタブレットを掛けて行き、これにより複数の機器の操作順序に誤りの発生し得ない状態を形成するものである。
【０００４】
このため、この各機器に対応して作成されたタブレットを保管するときは、個々のタブレットが紛失しないように、また容易に使用できるように保管する必要がある。そして、このタブレットを保管する手段としては、例えばタブレット用の容器に収納することが挙げられる。
【０００５】
特許文献１には、錠剤状（タブレット状）の菓子類等の容器に関する技術が開示されている。同文献に開示された技術は、錠剤状菓子類を収納する、携帯用の振出し口が付いた容器が示されている。そして、この容器は、携帯中の振動などにより内容物同志の衝撃音のない構造になっている。
【０００６】
【特許文献１】特開２０００−１６８８５８
【発明の開示】
【発明が解決しようとする課題】
【０００７】
上述のように、タブレットは、種々の作業手順を正確に順番通り遂行するため、動作順や動作状況を確認するために使用される。従って、各機器に対応するタブレットを作成し、このタブレットを収納ケースに収納する場合には、この収納ケースから個々のタブレットを使用する順すなわち各機器に掛ける順に、容易に取り出せるようにする必要がある。
【０００８】
しかし、例えば特許文献１に開示された容器では、収納された内容物の中から目的とするものを使用する順に従って取り出すことができるように構成されてはいない。従って、この特許文献１の収納ケースを作業手順の正確を期すため、例えば、複数の関連機器の順番を確認するためのタブレットのケースとして用いることはできない。また、複数の関連機器の操作順、すなわち動作順を確認するためのタブレットケースとして、個々のタブレットを使用する順に従って取り出すことが可能な他の構成のケースも存在していない。
【０００９】
本発明は、タブレットを収納し、収納された個々のタブレットを使用する順に容易に取り出すことができる、タブレットの収納ケースを提供することにある。
【課題を解決するための手段】
【００１０】
請求項１に記載のタブレット収納ケースは、動作順を確認するための、タブレットを並べた状態で収納する収納通路が略平行に複数併設され、各収納通路の一端側にタブレットを挿入可能に開口された挿入口が、他端側にタブレットを取り出し可能に開口された取出口がそれぞれ設けられ、取出口の近傍の収納通路内部には、収納されたタブレットを収納通路の内部に維持し、かつ所定の力によるタブレットの取り出しを許容する維持ストッパーが設けられたことを特徴とする。
【００１１】
これにより、複数併設された収納通路にタブレットが、それぞれ列をなして収納される状態になる。そして、収納通路に収納されたタブレットが収納された順に順次収納通路の取出口から取り出すことのできる構成となる。そして、収納通路には維持ストッパーが設けられているので、取出口から不意にタブレットがこぼれおちることが防止される。
【００１２】
従って、タブレットが操作すべき手順に対応して正確に収納されていれば、タブレットの取り出しの際にその順番がずれることが確実に防止され、作業手順の正確性が確保される。
【００１３】
請求項２に記載のタブレット収納ケースは、請求項１に記載のタブレット収納ケースであって、維持ストッパーは、収納通路内側面に対して突出動作、戻り動作を行う先端部を有し、通常状態で先端部が収納通路内側面から突出した状態となるよう付勢されたことを特徴とする。
【００１４】
これにより、通常状態では維持ストッパーが収納通路内側面から突出しているため、上記請求項１の説明で述べたようにタブレットが取出口から不意に出ることが防止され、タブレットの取出時には、維持ストッパーの戻り動作するので、取出口からのタブレットの取り出しが可能である。このように、請求項２の構成によれば、簡単な構成で取出口からタブレットを取り出すことと、タブレットを収納通路内に維持することが可能となる。
【００１５】
請求項３に記載のタブレット収納ケースは、請求項１又は２のいずれかに記載のタブレット収納ケースであって、収納通路が内部を目視可能な材料で形成された部位を有することを特徴とする。
【００１６】
これにより、収納通路に収納されたタブレットの収納状態を、目視可能な材料、例えば透明なプラスチック材料で形成された部位から、適宜目視で確認することが可能となる。従って、互いに異なる表示等が施されたタブレットを一定の順に従って収納通路に収納する場合、収納状況を確認しながら収納通路に収納することが可能となる。また、取出口からタブレットを取り出す時においても収納通路におけるタブレットの収納状態を目視確認することができる。従って、タブレットの収納通路への誤収納や誤って取り出されることが確実に防止される。
【００１７】
請求項４に記載のタブレット収納ケースは、請求項１〜３のいずれかに記載のタブレット収納ケースであって、収納通路の前面には、取出口から所定長さ切欠かれて形成された切欠部が設けられたことを特徴とする。
【００１８】
これにより、収納通路に収納されたタブレットを切欠部の部分で容易につまむことができるので、簡単にタブレットを取出口から取り出すことができる。
【００１９】
請求項５に記載のタブレット収納ケースは、請求項１〜４のいずれかに記載のタブレット収納ケースであって、複数並んだ取出口の全体を覆う状態から全体を開放する状態まで順次移動可能であり、該移動する途中位置で停止可能とされた取出口覆い部材が設けられたことを特徴とする。
【００２０】
これにより、まず、取出口覆い部材の移動により取出口の開放された１つの収納通路からタブレットを取り出し、この取り出しを行った収納通路に収納されたタブレットがすべて無くなった後、同じく取出口覆い部材を移動させることにより次の収納通路の取出口を開放された状態とすることができる。
【００２１】
これにより、タブレットを取り出す順となっていない収納部の取出口を取出口覆い部材で覆った状態とし、取り出す順となっていない収納通路からタブレットが誤って取り出されることが防止される。従って、タブレットが一定の順に取り出されることがより確実なものとなる。
【００２２】
請求項６に記載のタブレット収納ケースは、請求項５に記載のタブレット収納ケースであって、取出口覆い部材が、取出口の全体を覆う状態から全体を開放する状態までスライド移動可能なスライドベルトで形成され、該スライドベルトの移動用ガイドが取出口近傍に形成されたことを特徴とする。
【００２３】
これにより、請求項５の機能を有する取出口覆い部材をスライドベルトと移動用ガイドという簡単な要素で構成することができる。
【００２４】
請求項７に記載のタブレット収納ケースは、請求項１〜６のいずれかに記載のタブレット収納ケースであって、複数の収納通路が互いに並んだ状態で結合されて矩形状の板状体を形成し、この板状体に綴じ込み用留め具が設けられたことを特徴とする。
【００２５】
これにより、綴じ込み用留め具にタブレットを掛ける位置等が記載された操作表等を綴じ込むことが可能になる。従って、収納通路に挿入時に操作表を見ながらタブレットを挿入できる他、操作表等見ながらタブレットを引き出すことが可能となる。
【発明の効果】
【００２６】
本発明に係るタブレット収納ケースによれば、作業手順を示すために収納されたタブレットを、順番のズレを確実に防止しつつ容易に取り出すことができる。従って、例えば、動作させる機器を示すタブレットの操作手順通りに正確に取り出すことができるので、作業手順の正確性を確保することができる。
【発明を実施するための最良の形態】
【００２７】
本発明の実施の形態について図面に基づいて説明する。図１は、本発明にかかるタブレット収納ケースとこのケースに収納されるタブレットを説明した斜視図である。同図に示したように、タブレット収納ケース１０は、全体が矩形の平板状に形成されており、そして、略直方体形状を有するタブレット１４を収納する収納通路１２を複数有している。
【００２８】
本実施の形態においては、例として、高い精度で作業手順の正確性の要求される電力機器の操作順を確認するために用いられるタブレットに関して説明する。タブレット１４は、一定の順に従って操作する必要のある複数の電力機器に、その操作時に掛けるもので、各機器に対応する表示や数字が施されている。従って、タブレット１４に施された表示や数字はタブレット１４毎に異なるものとなる。また、タブレット１４は、同図に示したように、四方の隅部１４ａが四半分の円弧状に形成されている。そして、タブレット１４には掛孔１５が貫通して形成されており、この掛孔１５に機器に設けられた略棒状の受軸を通すことにより掛ける構成となっている。
【００２９】
収納通路１２は、その内部にタブレット１４を並べた状態で収納するもので、本実施の形態では、収納通路１２は、略直方体形状を有し、内部寸法がタブレット１４の幅Ｗ１よりやや広い横幅Ｗ２と、タブレットの厚みＹ１よりやや広い、縦幅Ｙ２に設定されている。ここで、縦幅Ｙ２とは、収納通路１２の横幅Ｗ２に直交する方向の幅を示している。また、収納通路１２の前面１２ａは、収納通路１２の内部を目視確認可能な透明材料で形成されている。この透明材料としては、例えば透明なプラスチック材料等が例示される。
【００３０】
この収納通路１２は、伸長する方向の一端部（同図では上端部）にタブレット１４を挿入する挿入口１６と、収納通路１２の他端部（同図では下端部）にタブレット１４の取り出しを行う取出口１８がそれぞれ開口して設けられている。また、収納通路１２の前面１２ａには、取出口１８から所定長さ切り込まれて形成された切欠部１９が設けられている。そして、この収納通路１２が略柱状の接合部２０を介して収納通路１２の幅方向に複数並んだ状態で互いに結合し、矩形状の板状体をなすタブレット収納ケース１０を構成している。また、タブレット収納ケース１０の前面側、すなわち、収納通路１２の前面１２ａ側には、後述する綴じ込み用留め具２２が設けられている。
【００３１】
図２（Ａ）、（Ｂ）は、図１に示したタブレット収納ケース１０の収納通路１２に設けられた取出口１８の付近を拡大して示した説明図である。図２（Ａ）は、取出口１８の付近の斜視図、図２（Ｂ）は、収納通路１２の前面１２ａを正面に見た正面図である。図２（Ａ）に示したように、収納通路１２の取出口１８の付近には維持ストッパー２６が設けられている。維持ストッパー２６は、収納されたタブレット１４を収納通路１２の内部に維持し、かつ所定の力によるタブレット１４の取り出しを許容するものである。
【００３２】
本実施の形態では、維持ストッパー２６は、収納通路１２の内部の両側面１２ｂにおいて、この部位から突出する状態となるように設けられている。そして、維持ストッパー２６は、この突出した方向に付勢されており、付勢された状態で維持ストッパー２６の先端部が両側面１２ｂに対し、矢印２１０の方向に突出動作、戻り動作を行うように構成されている。
【００３３】
図２（Ｂ）には、タブレット１４が収納通路１２に収納された状態を破線で示したが、図示のように、維持ストッパー２６がタブレット１４の隅部１４ａと接触し、タブレット１４が取出口１８から自然に出るのを防止している。ここで、維持ストッパー２６は円弧状の曲面形状を有し、この円弧状の曲面で上記タブレット１４の隅部１４ａと接触している。
【００３４】
維持ストッパー２６の上記形状により、収納通路１２に収納されたタブレット１４を取出口１８の方向に引っ張ると、維持ストッパー２６がその付勢力に抗して押されて引込み、維持ストッパー２６の直上に位置するタブレット１４を取出口１８から取り出すことができる。
【００３５】
なお、取出口１８におけるタブレット１４の取り出しは、切欠部１９の位置でタブレット１４を指でつまみ、これを取出口１８の方向に引き出すことによって行うことが可能である。また、タブレット１４を取り出した後は、再び維持ストッパー２６が収納通路１２の内方向に突出し、すなわち突出動作を行い、次のタブレット１４が取出口１８から出るのを防止する。
【００３６】
図３は、図１に示したタブレット収納ケース１０の収納通路１２に設けられた挿入口１６の付近を拡大して示した説明図である。同図に示したように、収納通路１２の挿入口１６の付近には挿入ストッパー２８が設けられている。挿入ストッパー２８は、図２に示した維持ストッパー２６と同様の構成を有している。
【００３７】
すなわち、挿入ストッパー２８は、円弧状の曲面を有し、収納通路１２の内部の両側面１２ｂにおいて、この部位から突出した状態となるように設けられ、突出した方向に付勢されている。そして、付勢された状態で挿入ストッパー２８の先端部が両側面１２ｂに対して突出動作、戻り動作を行うように構成されている。
【００３８】
この挿入ストッパー２８により、収納通路１２に収納されたタブレット１４が挿入口１６から不意に出るのを防止している。そして、タブレット１４を所定の力で挿入口１６に挿入することにより（矢印２２０の方向）、挿入ストッパー２８が戻り動作を行い、タブレット１４の挿入を許容するものである。
【００３９】
図４は、図１に示したタブレット収納ケース１０の収納通路１２にタブレット１４を収納した状態を概略的に示した説明図である。同図においては、説明の容易化のため収納通路１２に収納されたタブレット１４の一部に番号を付した。このように、図の右端に位置する収納通路１２−１から順次タブレット１４を収納して行くことにより、同図に付された番号の順にタブレット１４を収納することができる。
【００４０】
そして、同じく図の右端に位置する収納通路１２−１から、収納通路１２−１が空になるまでタブレット１４を取り出して行く。収納通路１２−１が空になった後、次に収納通路１２−２からタブレット１４を取り出すことにより、同図に付された番号の順にタブレット１４を取り出すことができる。
【００４１】
このように、本発明にかかるタブレット収納ケース１０によれば、複数併設された収納通路１２にタブレット１４が、それぞれ列をなして収納される状態になる。そして、収納通路１２に収納されたタブレットが収納された順に収納通路１２の取出口１８から取り出される構成となる。そして、維持ストッパー２６及び挿入ストッパー２８が設けられているので、収納通路１２から不意にタブレット１４が出ることが防止される。
【００４２】
従って、例えば、一定の順に操作する必要がある複数の電力機器の操作時に、この機器に掛ける対応するタブレット１４をタブレット収納ケース１０に収納した状態で操作する機器間に持ち運ぶことができる。そして、各機器に掛ける順に従って、タブレット１４を確実に取り出すようにすることが可能になる。従って、操作する機器に対応するタブレット１４を掛けて行くのに、機器に対応しない誤ったタブレット１４が取り出されるという取り出しミスが防止される。
【００４３】
また、収納通路１２の前面１２ａが収納通路１２の内部を目視可能な透明な材料、例えば透明なプラスチック材料で形成されている。このため、収納通路１２に収納されたタブレット１４の収納状態を、適宜目視で確認することが可能となる。従って、タブレット１４の収納通路１２への収納状況を確認しながらタブレット１４を収納通路１２に収納することが可能となる。従って、タブレット１４の収納通路１２への誤収納が防止される。
【００４４】
更に、本発明にかかるタブレット収納ケース１０は綴じ込み用留め具２２を有している。これにより、タブレット収納ケース１０は、バインダー構造を構成することになる。すなわち、この構成により、綴じ込み用留め具２２に種々の書類等を綴じ込むことが可能になる。従って、この操作表を綴じ込み用留め具２２に綴じた状態で、例えば、手元で確認しながらタブレット１４を取り出すこと等が可能になる。これにより、各機器における操作時にタブレットを掛ける作業の他、操作機器の確認作業が確実なものとなる。ここで、上記操作表としては、複数の電力機器の操作や機器に掛ける個々のタブレットを表示した操作表が例示される。
【００４５】
図５は、本発明にかかるタブレット収納ケースの、他の実施の形態を説明した説明図である。同図においては、本実施の形態の特徴的な構成部分を示し、図１に示した要素と同様の要素は概略的に示した。また、図１、２に示したものと同様の要素には同一の符号を付しその説明を省略する。本実施の形態の特徴的事項は、タブレット収納ケース１０が取出口覆い部材としてのスライドベルト３０を有していることである。
【００４６】
同図に示したようにスライドベルト３０は、合成樹脂等の可撓性材料で形成されており、タブレット収納ケース１０には、スライドベルト３０をガイドする移動用ガイド部３２−１、３２−２が設けられている。移動用ガイド部３２−１は、タブレット収納ケース１０の、取出口１８が設けられた側の端部１０ａにおいて、各接合部２０に設けられている。また、移動用ガイド部３２−２は、端部１０ａに略直交する側端部１０ｂに設けられている。
【００４７】
スライドベルト３０は移動用ガイド部３２−１、３２−２にガイドされた状態で、端部１０ａから、側端部１０ｂにかけて移動できるように設けられ、少なくとも全ての取出口１８を覆いうる長さを有している。すなわち、矢印２００方向にスライドベルト３０をスライドするように構成されている。この構成により、複数並べられた収納通路１２の取出口１８の全部を覆った状態とし、この状態から取出口１８の全部を開放した状態にまで、収納通路１２−１の取出口１８を順次開放するものである。
【００４８】
また、スライドベルト３０は、タブレット収納ケース１０の端部１０ｂ側において、スライドベルト３０の端部に設けられた操作部３６と、側端部１０ｂに沿って伸長する鋸歯状の戻り防止部３８を有している。取出口１８の開閉操作を行うときは、操作部３６を指でスライドさせ、これにより、スライドベルト３０をスライドさせて行う。
【００４９】
ここで、操作部３６には摘み４０が設けられている。摘み４０は、戻り防止部３８の後述する谷部３８ｂに突出するように設けられたストップバー４０ａを有している。このストップバー４０ａは側端部１０ｂに略直交する方向に往復移動可能に設けられており、また戻り防止部３８が存する方向に付勢されている。従って、スライド操作部３６をスライドさせるときは、例えば、摘み４０を図の防止部３８から離れる方向に引き、先端部４０ａが戻り防止部３８に接触しない状態で行う。
【００５０】
更に、戻り防止部３８の上述した鋸歯状の形状は、複数の山部３８ａと谷部３８ｂとを有している。そして戻り防止部３８は、ストップバー４０ａの先端部が谷部３８ｂに位置する毎にスライドベルト３０が各収納通路１２の取出口１８を順次開放するように構成されている。従って、通常時は、ストップバー４０ａの先端部は谷部３８ｂに位置し、スライドベルト３０が取出口１８を塞ぐ方向にスライドすることが防止されている。すなわち、開放状態にある取出口１８が自然に塞がれた状態に変わることがより確実に防止されている。
【００５１】
この構成により、例えば、取出口１８が開放されている収納通路１２−１からタブレット１４を取り出し、収納通路１２−１が空になった時に次の収納通路１２−２の取出口１８を開放した状態とすることができる。従って、取り出す順となっていない収納通路１２から誤ってタブレット１４が取り出される取り出しミスが防止される。
【００５２】
更に、摘み４０と戻り防止部３８により、開口状態にある取出口１８が、スライドベルト３０により自然に覆われた状態に変わることが防止され、収納通路１２からのタブレット１４の取り出しが円滑なものとなる。
【００５３】
本発明は、上述の実施の形態に限定されるものではなく、本発明の要旨の範囲内で種々の変更が可能である。例えば、図１に示したタブレット収納ケースの収納通路１２は、前面１２ａが、収納通路１２の内部を目視確認可能な透明材料で形成されているとしたが、これに限られるものではない。例えば、収納通路の全面１２ａと前面１２ａの対向する背面の両方を目視確認可能な透明材料で形成しても良い。
【００５４】
また、本実施の形態では電力機器の作業用のタブレットを例にとって説明したが、本発明はこれに限られず、作業手順の正確性の求められる種々の作業管理に用いることができる。
【図面の簡単な説明】
【００５５】
【図１】本発明にかかるタブレット収納ケースとタブレットを説明した斜視図である。
【図２】図１に示したタブレット収納ケースの、収納部の取出口の付近を拡大して示した説明図である。図２（Ａ）は、取出口の付近の斜視図、図２（Ｂ）は、収納通路の前面を正面にみた正面図である。
【図３】図１に示したタブレット収納ケースの、収納通路の挿入口の付近を拡大して示した説明図である。
【図４】タブレット収納ケースの収納通路にタブレットを収納した状態を概略的に示した説明図である。
【図５】本発明にかかるタブレット収納ケースの、他の実施の形態を説明した説明図である。
【符号の説明】
【００５６】
１０  タブレット収納ケース
１２  収納通路
１４  タブレット
１６  挿入口
１８  取出口
２０  接合部
２２  綴じ込み用留め具
２６  維持ストッパー
２８  挿入ストッパー
３０  スライドベルト
３６  操作部
【図１】
2006213370.tif 000003
【図２】
2006213370.tif 000004
【図３】
2006213370.tif 000005
【図４】
2006213370.tif 000006
【図５】
2006213370.tif 000007